【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
ユーザによって定義される、生成するダイジェストを特定するためのダイジェスト特定に応じて、前記ダイジェスト特定に関連する既アクセスのコンテンツ情報を判断し、
関連する前記既アクセスのコンテンツ情報のダイジェスト・ドキュメントを生成する、
情報ダイジェストを生成する方法。
【請求項２】
生成された前記ダイジェスト・ドキュメントに基づいて、新しいダイジェスト特定を繰り返し定義するための機能をユーザに提供し、
前記新しいダイジェスト特定に基づいて、別のダイジェスト・ドキュメントを再生成する、
ことをさらに含む、請求項１に記載の情報ダイジェストを生成する方法。
【請求項３】
ユーザによって定義される前記ダイジェスト特定は、コンテンツ情報を含むドキュメントになされるアクションを少なくとも含み、
前記アクションは、少なくとも、ドキュメントをリトリーブするアクション、ドキュメントを開くアクション、ドキュメントを保存するアクション、ドキュメントをファイルするアクション、ドキュメントを編集するアクション、ドキュメントを削除するアクション、ドキュメントを転送するアクション、及び、ドキュメントをブックマークするアクション、の一以上を含むアクションにより設定される請求項１に記載の情報ダイジェストを生成する方法。
【請求項４】
既アクセスのコンテンツ情報に関するインデックス情報を記憶し、前記インデックス情報に基づいて既アクセスのコンテンツを決定する抽出処理を行うことを特徴とする、請求項１に記載の情報ダイジェストを生成する方法。
【請求項５】
前記インデックス情報は前記コンテンツに含まれる情報をテキスト情報に変換した情報である請求項４に記載の情報ダイジェストを生成する方法。
【請求項６】
前記抽出処理は、変換した情報と既アクセス・コンテンツとの類似性を定量化する類似性スコアを少なくとも判断する、ことをさらに含む、請求項５に記載の情報ダイジェストを生成する方法。
【請求項７】
前記抽出処理は、既アクセスのコンテンツ情報及び変換した情報のグループから、類似性閾値を上回る類似性スコアを有するコンテンツ情報の集合をさらに判断する、ことをさらに含む、請求項６に記載の情報ダイジェストを生成する方法。
【請求項８】
関連するコンテンツ情報は、少なくともコンピュータ・アプリケーション・ドキュメント、テキスト・メッセージ、ｅメール・メッセージ、カレンダ・エントリ、または、ウェブ・ページの一部である、請求項１に記載の情報ダイジェストを生成する方法。
【請求項９】
コンピュータに、
ユーザによって定義される、生成されるダイジェストを特定するためのダイジェスト特定に応じて、前記ダイジェスト特定に関連する既アクセスのコンテンツ情報を判断する手順、
関連する前記既アクセスのコンテンツ情報のダイジェスト・ドキュメントを生成する手順を実行させるためのプログラム。
【請求項１０】
メモリと、制御装置と、を備え、
前記制御装置は、ユーザによって定義される生成されるダイジェストを特定するためのダイジェスト特定に応じて、前記ダイジェスト特定に関連する既アクセスのコンテンツ情報を判断し、
関連する前記既アクセスのコンテンツ情報のダイジェスト・ドキュメントを生成する、
情報ダイジェストを生成するシステム。
【手続補正２】
【補正対象書類名】明細書
【補正対象項目名】００２１
【補正方法】変更
【補正の内容】
【００２１】
本発明の第１の態様の情報ダイジェストを生成する方法は、ユーザによって定義される、生成するダイジェストを特定するためのダイジェスト特定に応じて、前記ダイジェスト特定に関連する既アクセスのコンテンツ情報を判断し、関連する前記既アクセスのコンテンツ情報のダイジェスト・ドキュメントを生成する。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
本発明の第２の態様は、第１の態様の情報ダイジェストを生成する方法であって、生成された前記ダイジェスト・ドキュメントに基づいて、新しいダイジェスト特定を繰り返し定義するための機能をユーザに提供し、前記新しいダイジェスト特定に基づいて、別のダイジェスト・ドキュメントを再生成する、ことをさらに含む。
【手続補正５】
【補正対象書類名】明細書
【補正対象項目名】００２４
【補正方法】変更
【補正の内容】
【００２４】
本発明の第３の態様は、第１の態様の情報ダイジェストを生成する方法であって、ユーザによって定義される前記ダイジェスト特定は、コンテンツ情報を含むドキュメントになされるアクションを少なくとも含み、前記アクションは、少なくとも、ドキュメントをリトリーブするアクション、ドキュメントを開くアクション、ドキュメントを保存するアクション、ドキュメントをファイルするアクション、ドキュメントを編集するアクション、ドキュメントを削除するアクション、ドキュメントを転送するアクション、及び、ドキュメントをブックマークするアクション、の一以上を含むアクションにより設定される。
【手続補正６】
【補正対象書類名】明細書
【補正対象項目名】００２５
【補正方法】変更
【補正の内容】
【００２５】
本発明の第４の態様は、第１の態様の情報ダイジェストを生成する方法であって、既アクセスのコンテンツ情報に関するインデックス情報を記憶し、前記インデックス情報に基づいて既アクセスのコンテンツを決定する抽出処理を行うことを特徴とする。
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】変更
【補正の内容】
【００２９】
本発明の第５の態様は、第４の態様の情報ダイジェストを生成する方法であって、前記インデックス情報は前記コンテンツに含まれる情報をテキスト情報に変換した情報である。
【手続補正１１】
【補正対象書類名】明細書
【補正対象項目名】００３０
【補正方法】変更
【補正の内容】
【００３０】
本発明の第６の態様は、第５の態様の情報ダイジェストを生成する方法であって、前記抽出処理は、変換した情報と既アクセス・コンテンツとの類似性を定量化する類似性スコアを少なくとも判断する、ことをさらに含む。
【手続補正１２】
【補正対象書類名】明細書
【補正対象項目名】００３１
【補正方法】変更
【補正の内容】
【００３１】
本発明の第７の態様は、第６の態様の情報ダイジェストを生成する方法であって、前記抽出処理は、既アクセスのコンテンツ情報及び変換した情報のグループから、類似性閾値を上回る類似性スコアを有するコンテンツ情報の集合をさらに判断する、ことをさらに含む。
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】変更
【補正の内容】
【００３６】
本発明の第８の態様は、第１の態様の情報ダイジェストを生成する方法であって、関連するコンテンツ情報は、少なくともコンピュータ・アプリケーション・ドキュメント、テキスト・メッセージ、ｅメール・メッセージ、カレンダ・エントリ、または、ウェブ・ページの一部である。
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】変更
【補正の内容】
【００３９】
本発明の第９の態様は情報ダイジェストを生成するプログラムであって、コンピュータに、ユーザによって定義される、生成されるダイジェストを特定するためのダイジェスト特定に応じて、前記ダイジェスト特定に関連する既アクセスのコンテンツ情報を判断する手順、関連する前記既アクセスのコンテンツ情報のダイジェスト・ドキュメントを生成する手順を実行させる、情報ダイジェストを生成するプログラムである。
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】削除
【補正の内容】
【手続補正３１】
【補正対象書類名】明細書
【補正対象項目名】００５０
【補正方法】削除
【補正の内容】
【手続補正３２】
【補正対象書類名】明細書
【補正対象項目名】００５１
【補正方法】削除
【補正の内容】
【手続補正３３】
【補正対象書類名】明細書
【補正対象項目名】００５２
【補正方法】削除
【補正の内容】
【手続補正３４】
【補正対象書類名】明細書
【補正対象項目名】００５３
【補正方法】削除
【補正の内容】
【手続補正３５】
【補正対象書類名】明細書
【補正対象項目名】００５４
【補正方法】削除
【補正の内容】
【手続補正３６】
【補正対象書類名】明細書
【補正対象項目名】００５５
【補正方法】削除
【補正の内容】
【手続補正３７】
【補正対象書類名】明細書
【補正対象項目名】００５６
【補正方法】削除
【補正の内容】
【手続補正３８】
【補正対象書類名】明細書
【補正対象項目名】００５７
【補正方法】変更
【補正の内容】
【００５７】
本発明の第１０の態様の情報ダイジェストを生成するシステムは、メモリと、制御装置と、を備え、前記制御装置は、ユーザによって定義される生成されるダイジェストを特定するためのダイジェスト特定に応じて、前記ダイジェスト特定に関連する既アクセスのコンテンツ情報を判断し、関連する前記既アクセスのコンテンツ情報のダイジェスト・ドキュメントを生成する、情報ダイジェストを生成する。
【手続補正３９】
【補正対象書類名】明細書
【補正対象項目名】００５８
【補正方法】削除
【補正の内容】
【手続補正４０】
【補正対象書類名】明細書
【補正対象項目名】００５９
【補正方法】削除
【補正の内容】
【手続補正４１】
【補正対象書類名】明細書
【補正対象項目名】００６０
【補正方法】削除
【補正の内容】
【手続補正４２】
【補正対象書類名】明細書
【補正対象項目名】００６１
【補正方法】削除
【補正の内容】
【手続補正４３】
【補正対象書類名】明細書
【補正対象項目名】００６２
【補正方法】削除
【補正の内容】
【手続補正４４】
【補正対象書類名】明細書
【補正対象項目名】００６３
【補正方法】削除
【補正の内容】
【手続補正４５】
【補正対象書類名】明細書
【補正対象項目名】００６４
【補正方法】削除
【補正の内容】
【手続補正４６】
【補正対象書類名】明細書
【補正対象項目名】００６５
【補正方法】削除
【補正の内容】
【手続補正４７】
【補正対象書類名】明細書
【補正対象項目名】００６６
【補正方法】削除
【補正の内容】
【手続補正４８】
【補正対象書類名】明細書
【補正対象項目名】００６７
【補正方法】削除
【補正の内容】
【手続補正４９】
【補正対象書類名】明細書
【補正対象項目名】００６８
【補正方法】削除
【補正の内容】
【手続補正５０】
【補正対象書類名】明細書
【補正対象項目名】００６９
【補正方法】削除
【補正の内容】
【手続補正５１】
【補正対象書類名】明細書
【補正対象項目名】００７０
【補正方法】削除
【補正の内容】
【手続補正５２】
【補正対象書類名】明細書
【補正対象項目名】００７１
【補正方法】削除
【補正の内容】
【手続補正５３】
【補正対象書類名】明細書
【補正対象項目名】００７２
【補正方法】削除
【補正の内容】
【手続補正５４】
【補正対象書類名】明細書
【補正対象項目名】００７３
【補正方法】削除
【補正の内容】
【手続補正５５】
【補正対象書類名】明細書
【補正対象項目名】００７４
【補正方法】削除
【補正の内容】